(57)【要約】【課題】１つのワイヤレス入力装置によって複数の情報処理装置を操作する。【解決手段】各コンピュータ１２には、固有のＩＤが割り当てられている。各コンピュータ１２は、ＩＤを示すパターンでＬＥＤ発光部から発光している。ユーザは、ワイヤレス光学式マウス１３の光センサをＬＥＤ発光部にかざして、マウス内にＩＤを登録する。ワイヤレス光学式マウス１３は、ＩＤが登録されると、登録したＩＤのコンピュータに対してのみ情報を送信する。各コンピュータは、自己のＩＤが登録されているワイヤレス入力装置から送信された入力情報に応じて情報処理及び制御を行う。【選択図】  図５
2005004659.tif 000002
【特許請求の範囲】
【請求項１】
それぞれに固有のＩＤが割り当てられた１以上の情報処理装置と、
ユーザにより上記情報処理装置に対する情報の入力操作が行われ、ユーザからの入力情報を無線通信により上記情報処理装置に送信するワイヤレス入力装置とを備え、
上記ワイヤレス入力装置は、上記ＩＤが入力可能とされ、ＩＤが入力されるとそのＩＤを登録し、登録したＩＤに対応した１つの情報処理装置にユーザからの入力情報を送信し、
各情報処理装置は、自己のＩＤが登録されているワイヤレス入力装置から送信された入力情報に応じて情報処理及び制御を行うこと
を特徴とする情報処理システム。
【請求項２】
上記ワイヤレス入力装置は、他のワイヤレス入力装置と区別された固有の識別コードが設定されており、上記入力情報とともに当該識別コードを上記１つの情報処理装置に送信し、
各情報処理装置は、上記識別コードを参照して入力情報を送信してきたワイヤレス入力装置を識別し、識別したワイヤレス入力装置毎に対応した情報処理及び制御を行うこと
を特徴とする請求項１記載の情報処理システム。
【請求項３】
ネットワークを介して情報処理装置が互いに接続されており、
上記情報処理装置は、
自己のＩＤが登録されているワイヤレス入力装置を用いて任意のデータの移動操作又は複写操作が行われると、当該任意のデータの本体又は当該任意のデータのリンク情報を上記ネットワーク上の各情報処理装置から参照可能な共用の記憶領域に格納し、
自己のＩＤが登録されているワイヤレス入力装置を用いて所定の記憶領域への貼付操作が行われると、上記共用の記憶領域に格納されている所定データ又は上記共用の記憶領域に格納されている上記リンク情報が指し示している所定のデータを上記所定の記憶領域に複写すること
を特徴とする請求項１記載の情報処理システム。
【請求項４】
上記ワイヤレス入力装置は、上記情報処理装置との間で入力情報以外のデータの送受信が可能とされているとともに上記情報処理装置からアクセスが可能なメモリを有しており、
上記情報処理装置は、
自己のＩＤが登録されているワイヤレス入力装置を用いて任意のデータの移動操作又は複写操作が行われると、当該任意のデータを当該ワイヤレス入力装置のメモリに格納し、
自己のＩＤが登録されているワイヤレス入力装置を用いて所定の記憶領域に対して貼付の操作が行われると、当該ワイヤレス入力装置のメモリに格納されている所定データを上記所定の記憶領域に複写すること
を特徴とする請求項１記載の情報処理システム。
【請求項５】
上記ワイヤレス入力装置は、ユーザが情報を入力するためのセンサによって検出可能なＩＤが入力され、そのセンサによりＩＤを検出し、検出したＩＤを登録すること
を特徴とする請求項１記載の情報処理システム。
【請求項６】
上記ワイヤレス入力装置は、
本体の２次元移動方向及び移動量を光学的に検出する検出部を有し、当該検出部により検出された２次元移動方向及び移動量を上記入力情報として上記情報処理装置に送信する光学式のワイヤレスマウスであり、
上記検出部に対して光学的に表されたＩＤが入力され、当該検出部により上記ＩＤを検出し、検出したＩＤを登録すること
を特徴とする請求項１記載の情報処理システム。
【請求項７】
ユーザにより情報処理装置に対する情報の入力操作が行われ、ユーザの入力情報を無線通信により当該情報処理装置に送信するワイヤレス入力装置において、
情報処理装置には固有のＩＤが割り当てられており、
上記ＩＤが入力可能とされ、ＩＤが入力されるとそのＩＤを登録し、登録したＩＤに対応した１つの情報処理装置に対して、上記ユーザからの入力情報を送信すること
を特徴とするワイヤレス入力装置。
【請求項８】
他のワイヤレス入力装置と区別された固有の識別コードが設定されており、上記入力情報とともに当該識別コードを上記１つの情報処理装置に送信することにより、その１つの情報処理装置に対して自分と他のワイヤレス入力装置とを識別させて対応した情報処理及び制御を行わせること
を特徴とする請求項７記載のワイヤレス入力装置。
【請求項９】
上記情報処理装置との間で入力情報以外のデータの送受信が可能とされているとともに上記情報処理装置からアクセスが可能なメモリを有しており、
登録しているＩＤが割り当てられた情報処理装置に対して任意のデータの移動操作又は複写操作を行うと、当該情報処理装置から当該任意のデータが上記メモリに格納され、
登録しているＩＤが割り当てられた情報処理装置に対して所定の記憶領域への貼付操作を行うと、当該情報処理装置により上記メモリに格納されている所定データが上記所定の記憶領域に複写されること
を特徴とする請求項７記載のワイヤレス入力装置。
【請求項１０】
ユーザが情報を入力するためのセンサによって検出可能なＩＤが入力され、そのセンサによりＩＤを検出し、検出したＩＤを登録すること
を特徴とする請求項７記載のワイヤレス入力装置。
【請求項１１】
本体の２次元移動方向及び移動量を光学的に検出する検出部を有し、当該検出部により検出された２次元移動方向及び移動量を上記入力情報として上記情報処理装置に送信する光学式のワイヤレスマウスであり、
上記検出部に対して光学的に表されたＩＤが入力され、当該検出部により上記ＩＤを検出し、検出したＩＤを登録すること
を特徴とする請求項７記載のワイヤレス入力装置。
【請求項１２】
ユーザが入力操作をするためのワイヤレス入力装置から無線通信によりに入力情報を受信し、受信した入力情報に応じて情報処理及び制御を行う情報処理装置において、
他の情報処理装置と区別された固有のＩＤが割り当てられており、
自己のＩＤが登録されているワイヤレス入力装置から送信された入力情報を受け付けて、受け付けた入力情報に応じて情報処理及び制御を行うこと
を特徴とする情報処理装置。
【請求項１３】
上記ワイヤレス入力装置は、他のワイヤレス入力装置と区別された固有の識別コードが設定されており、上記入力情報とともに当該識別コードを情報処理装置に送信し、
識別コードを参照して入力情報を送信してきたワイヤレス入力装置を識別し、識別したワイヤレス入力装置毎に対応した情報処理及び制御を行うこと
を特徴とする請求項１２記載の情報処理装置。
【請求項１４】
ネットワークを介して他の情報処理装置と接続されており、
自己のＩＤが登録されているワイヤレス入力装置を用いて任意のデータの移動操作又は複写操作が行われると、当該任意のデータの本体又は当該任意のデータのリンク情報を上記ネットワーク上の各情報処理装置から参照可能な共用の記憶領域に格納し、
自己のＩＤが登録されているワイヤレス入力装置を用いて所定の記憶領域への貼付操作が行われると、上記共用の記憶領域に格納されている所定データ又は上記共用の記憶領域に格納されている上記リンク情報が指し示している所定のデータを上記所定の記憶領域に複写すること
を特徴とする請求項１２記載の情報処理装置。
【請求項１５】
上記ワイヤレス入力装置は、情報処理装置との間で入力情報以外のデータの送受信が可能とされているとともに情報処理装置からアクセスが可能なメモリを有しており、
自己のＩＤが登録されているワイヤレス入力装置を用いて任意のデータの移動操作又は複写操作が行われると、当該任意のデータを当該ワイヤレス入力装置のメモリに格納し、
自己のＩＤが登録されているワイヤレス入力装置を用いて所定の記憶領域に対して貼付の操作が行われると、当該ワイヤレス入力装置のメモリに格納されている所定データを上記所定の記憶領域に複写すること
を特徴とする請求項１２記載の情報処理装置。
【発明の詳細な説明】
【０００１】
【発明の属する技術分野】
本発明は、例えばワイヤレスマウス等のワイヤレス入力装置、ワイヤレス入力装置と情報処理装置とから構成される情報処理システム、並びに、情報処理装置に関する。
【０００２】
【従来の技術】
従来より、コンピュータの入力デバイスとしてマウスが用いられている。
【０００３】
【特許文献１】
特開２００２−２０２８３６号公報
【０００４】
【発明が解決しようとする課題】
通常、マウスは、ある１つのコンピュータの一部として機能するため、コンピュータの本体と不可分の状態で用いられる。つまり、ある１つのコンピュータに接続されているマウスを用いて、他のコンピュータを操作することはできない。そのため、例えば一人のユーザが複数台のコンピュータを並行して操作している場合、操作するコンピュータを変更する毎にマウスも持ち替えなければならない。
【０００５】
また、近年、無線伝送技術を用いたワイヤレスマウスも開発されている（例えば、特許文献１参照。）。ワイヤレスマウスの場合、物理的な接続を本体部から切り離すことができる。しかしながら、このようなワイヤレスマウスを用いたとしても本体との機能的な関係は、有線の場合と同一である。すなわち、ワイヤレスマウスを用いたとしても、１つのマウスで同時に複数のコンピュータを操作することはできない。
【０００６】
また、コンピュータ内のデータを複写や移動する際のユーザインタフェース手法として、コピーアンドペーストやカットアンドペーストと呼ばれる手法がある。コピーアンドペースト（カットアンドペースト）は、複写元（移動元）となるデータの存在を示すアイコンを特定した状態でコピー（カット）操作をし、続いて、複写先（移動先）となるコンピュータ上の記録領域を特定してそこでペースト操作をする動作である。この一連の動作が完了すると、コンピュータは、複写元（移動元）となるデータをペーストにより特定した記録領域に転送する処理を行う。このようなコピーアンドペーストやカットアンドペーストと呼ばれる動作は、動作から感じられる処理内容と実際のデータ処理内容とが一致しており、直感的で自然な感覚の操作が可能となる。
【０００７】
ところで、異なるコンピュータ間でデータ転送をする場合も、コピーアンドペーストやカットアンドペーストを行ってデータ転送ができれば、直感的で自然な感覚の操作が可能となる。
【０００８】
しかしながら、従来は複数のコンピュータを１つのマウスで共通に操作することはできなかったので、当然、複数のコンピュータに亘ったコピーアンドペーストやカットアンドペーストはできなかった。
【０００９】
本発明は、このような従来の実情に鑑みて提案されたものであり、１つのワイヤレス入力装置によって複数の情報処理装置を操作することを可能とした情報処理システム、ワイヤレス入力装置及び情報処理装置を提供することを目的とする。
【００１０】
また、本発明は、複数の情報処理装置間に亘ったコピーアンドペースト又はカットアンドペースト作業を直感的であり自然な操作で行うことを可能とした情報処理システム、ワイヤレス入力装置及び情報処理装置を提供することを目的とする。
【００１１】
【課題を解決するための手段】
本発明に係る情報処理システムは、それぞれに固有のＩＤが割り当てられた１以上の情報処理装置と、ユーザにより上記情報処理装置に対する情報の入力操作が行われ、ユーザからの入力情報を無線通信により上記情報処理装置に送信するワイヤレス入力装置とを備え、上記ワイヤレス入力装置は、上記ＩＤが入力可能とされ、ＩＤが入力されるとそのＩＤを登録し、登録したＩＤに対応した１つの情報処理装置にユーザからの入力情報を送信し、各情報処理装置は、自己のＩＤが登録されているワイヤレス入力装置から送信された入力情報に応じて情報処理及び制御を行う。
【００１２】
本発明に係るワイヤレス入力装置は、ユーザにより情報処理装置に対する情報の入力操作が行われ、ユーザの入力情報を無線通信により当該情報処理装置に送信するワイヤレス入力装置であって、情報処理装置には固有のＩＤが割り当てられており、上記ＩＤが入力可能とされ、ＩＤが入力されるとそのＩＤを登録し、登録したＩＤに対応した１つの情報処理装置に対して、上記ユーザからの入力情報を送信する。
【００１３】
本発明に係る情報処理装置は、ユーザが入力操作をするためのワイヤレス入力装置から無線通信によりに入力情報を受信し、受信した入力情報に応じて情報処理及び制御を行う情報処理装置であって、他の情報処理装置と区別された固有のＩＤが割り当てられており、自己のＩＤが登録されているワイヤレス入力装置から送信された入力情報を受け付けて、受け付けた入力情報に応じて情報処理及び制御を行う。
【００１４】
以上のような本発明では、ワイヤレス入力装置に対して情報処理装置のＩＤを入力して、ワイヤレス入力装置内にＩＤを登録する。ワイヤレス入力装置にＩＤが登録されると、ワイヤレス入力装置は登録したＩＤに対応した１つの情報処理装置にユーザからの入力情報を送信し、各情報処理装置は自己のＩＤが登録されているワイヤレス入力装置から送信された入力情報に応じて情報処理及び制御を行う。
【００１５】
【発明の実施の形態】
以下、本発明の実施の形態として、本発明を適用した情報処理システムについて説明をする。
【００１６】
本発明の実施の形態の情報処理システム１０は、図１に示すように、ネットワーク１１に接続された複数台のコンピュータ１２（第１〜第３のコンピュータ１２−１，１２−２，１２−３）と、これら複数台のコンピュータ１２−１〜１２−３の入力デバイスとして機能するワイヤレス光学式マウス１３とを備えている。
【００１７】
コンピュータ１２−１〜１２−３は、プログラムに従い各種演算処理及び制御等を行う演算処理部と、プログラムやコンテンツデータ等を格納するストレージ、演算処理や制御結果及び再生したコンテンツ等を表示するモニタ、ユーザにより情報入力がされるキーボード等を備えている。コンピュータ１２−１〜１２−３は、グラフィカルユーザインタフェース（ＧＵＩ）を用いて人間により情報の入力がされ、その情報入力に応じて所定の情報処理及び制御を行い、さらに、人間に対して情報の提示（表示や音声出力等）を行う情報処理装置である。各コンピュータ１２−１〜１２−３の形式は、どのようなものであってもよく、例えば、机の上に置いて使用されるデスクトップ型、持ち歩き可能なノートブック型又はＰＤＡのような情報形態端末であってもよい。
【００１８】
また、各コンピュータ１２−１〜１２−３は、ネットワーク１１に接続されており、コンピュータ間で相互にデータの転送が可能となっている。さらに、ネットワーク１１上には、各コンピュータ１２−１〜１２−３がデータの書き込み及び読み出しが可能な共有の記憶領域１４が例えばサーバ用コンピュータ等に設けられている。
【００１９】
また、各コンピュータ１２−１〜１２−３にはそれぞれ固有のＩＤが割り当てられており、各コンピュータ１２−１〜１２−３は自分に割り当てられているＩＤを認識している。コンピュータ１２−１〜１２−３へのＩＤの割り当て処理は、例えばホストコンピュータやサーバコンピュータがネットワーク１１を介して行ってもよいし、ユーザが直接入力して行ってもよい。
【００２０】
また、各コンピュータ１２−１〜１２−３は、自分のＩＤを示す点滅のパターンで発光するＬＥＤ発光部１５（１５−１〜１５−３）を有している。ＬＥＤ発光部１５は、各コンピュータ１２−１〜１２−３の本体部に一体的に取り付けられていてもよいし、外部機器接続用のインタフェース（メモリカードインタフェースやＵＳＢインタフェース）を介して接続されていてもよい。メモリカードインタフェースを介して接続する場合には、例えば、図２（Ａ）に示すように、メモリカード１６をスロットに挿入したときに、露出する部分にＬＥＤ発光部１５を設ければよい。また、図２（Ｂ）に示すようにＵＳＢインタフェースを介して接続する場合には、ＵＳＢ端子１７にＬＥＤ発光部１５を設ければよい。
【００２１】
また、各コンピュータ１２−１〜１２−３には、ワイヤレス光学式マウス１３との間で無線通信方式でデータの送受信を行う送受信部１８（１８−１，１８−２，１８−３）が設けられている。ワイヤレス光学式マウス１３と送受信部１８との間のデータの転送方式は、電波を用いた通信方式であっても、赤外線を用いた通信方式であってもよい。
【００２２】
ワイヤレス光学式マウス１３の内部ブロック図を図３に示す。
【００２３】
ワイヤレス光学式マウス１３は、コンピュータ１２（第１〜第３のコンピュータ１２−１〜１２−３）の画面上に表示されているポインタを移動させるための操作入力手段である。ワイヤレス光学式マウス１３は、例えば机上等の平坦な場所に置かれユーザにより片手で二次元的に移動させられる。ワイヤレス光学式マウス１３は、その移動方向及び移動量を光学的に検出し、その検出量をコンピュータ１２に無線送信することにより画面上に表示されているポインタを対応する方向に移動する。例えば、ワイヤレス光学式マウス１３は、机との相対移動方向及び相対移動量を、本体部分の底面部に設けられたＣＭＯＳセンサ等の光センサ２１によって撮像された机上の画像に基づき算出する。ワイヤレス光学式マウス１３は、その算出結果をユーザからの入力情報としてコンピュータ１２に対して無線送信する。そして、コンピュータ１２は、ワイヤレス光学式マウス１３から無線送信された移動方向及び移動量に応じてポインタの表示位置を制御する。
【００２４】
また、ワイヤレス光学式マウス１３には、モーメンタリ型スイッチである右ボタン２２及び左ボタン２３が設けられている。ワイヤレス光学式マウス１３は、右ボタン２２及び左ボタン２３のオン／オフの状態を検出し、その検出結果をユーザからの入力情報としてコンピュータ１２に対して無線送信する。コンピュータ１２は、無線送信されたオン／オフ情報に応じて、各種の情報処理及び制御を行う。
【００２５】
なお、ワイヤレス光学式マウス１３に、画面のスクロール等を行うための回転押下式スイッチを設けてもよい。
【００２６】
また、ワイヤレス光学式マウス１３は、コンピュータ１２（第１〜第３のコンピュータ１２−１〜１２−３）との間で、無線通信方式でデータの送受信を行う。そのため、ワイヤレス光学式マウス１３は、移動量及び移動方向等を無線通信方式で送信し、また、コンピュータ１２−１〜１２−３から送信された各種の情報を無線通信方式で受信する送受信部２４を有している。なお、ワイヤレス光学式マウス１３とコンピュータ１２−１〜１２−３との間のデータの転送方式は、電波を用いた通信方式であっても、赤外線を用いた通信方式であってもよい。
【００２７】
また、ワイヤレス光学式マウス１３は、光センサ２１により検出された信号の解析や送受信部の制御等を行うコントローラ２５と、情報を記憶するメモリ２６とを備えている。
【００２８】
また、ワイヤレス光学式マウス１３は、識別コードが設定されている。識別コードは、他のワイヤレス光学式マウスと自己とを識別するためのコードであり、マウス一つ一つにユニークに設定されている。識別コードは、例えば、コントローラ２５内やメモリ２６内に記憶されている。
【００２９】
つぎに、ワイヤレス光学式マウス１３を用いた情報の入力方法について説明をする。なお、ここでは、ワイヤレス光学式マウス１３の通信範囲に第１のコンピュータ１２−１及び第２のコンピュータ１２−２が存在し、１つのワイヤレス光学式マウス１３が２台のコンピュータ１２−１，１２−２の共通デバイスとして用いられるものとする。
【００３０】
情報処理システム１０では、通常の動作時には、図４に示すように、各コンピュータ１２が自己に割り当てられたＩＤを示す点滅パターンでＬＥＤ発光部１５を発光させている。例えば、第１のコンピュータ１２−１は‘００１’という内容を示すパターンでＬＥＤ発光部１５−１を点滅させ、第２のコンピュータ１２−２は‘００２’という内容を示すパターンでＬＥＤ発光部１５−２を点滅させている。
【００３１】
ワイヤレス光学式マウス１３を用いて第１のコンピュータ１２−１に情報を入力する場合、ユーザは以下のように手続きを行う。
【００３２】
ユーザは、図５に示すように、ワイヤレス光学式マウス１３の裏面部分の光センサ２１を、第１のコンピュータ１２−１のＬＥＤ発光部１５−１に近づける。
【００３３】
ワイヤレス光学式マウス１３は、光の点滅パターンを検出すると、その点滅パターンが示しているＩＤを判断し、判断して得られたＩＤを内部に登録する機能が設けられている。従って、光センサ２１にＬＥＤ発光部１５−１が近づけられると、ワイヤレス光学式マウス１３は、ＬＥＤ発光部１５−１の点滅パターンを検出し、その点滅パターンが‘００１’であることを判断し、そのＩＤ（＝‘００１’）を内部に登録する。
【００３４】
ＩＤの登録を終えると、ワイヤレス光学式マウス１３は、図６に示すように、登録完了通知を発信する。登録完了通知には、現在内部登録しているＩＤ及び自分の識別コード等が記述されている。登録完了通知は、ワイヤレス光学式マウス１３の通信範囲にある全てのコンピュータに送信される。
【００３５】
第１のコンピュータ１２−１及び第２のコンピュータ１２−２は、ワイヤレス光学式マウス１３から登録完了通知を受信すると、その登録完了通知に記述されている登録ＩＤが、自己のＩＤと一致するか否か判断する。一致している場合には、登録完了通知に記述されている識別コードのマウスをオペレーションシステムにマウントする処理（マウント処理）を行う。また、一致していない場合には、もし登録完了通知に記述されている識別コードのマウスを既にマウントしていれば、そのマウスをデマウントする処理（デマウント処理）を行う。なお、マウント処理とは、特定の識別コードのワイヤレス光学式マウス１３を入力デバイスとして使用可能とする処理であり、デマウント処理とはそのワイヤレス光学式マウス１３を入力デバイスとして使用不可能とする処理である。すなわち、マウント処理が行われると、そのコンピュータに対してワイヤレス光学式マウス１３を用いて入力処理が可能となる。
【００３６】
従って、第１のコンピュータ１２−１は、ワイヤレス光学式マウス１３から発信された登録完了通知に、自分のＩＤが記述されているので、そのワイヤレス光学式マウス１３のマウント処理を行う。第２のコンピュータ１２−２は、ワイヤレス光学式マウス１３から発信された登録完了通知に、自分のＩＤが記述されていないので、そのワイヤレス光学式マウス１３に対してはなんら処理を行わない。
【００３７】
また、第１及び第２のコンピュータ１２−１，１２−２は、ワイヤレス光学式マウス１３のマウント処理を行った場合には、例えば、画面上にマウント済みであることを示すアイコン３１を表示したり、発光部１５の点滅状態や発光色を変えたりすることにより、ユーザにその旨を通知してもよい。
【００３８】
このようにワイヤレス光学式マウス１３のマウント処理が行われると、以後、ワイヤレス光学式マウス１３を用いてそのコンピュータを操作することが可能となる。従って、図７に示すように、ワイヤレス光学式マウス１３を用いて、第１のコンピュータ１２−１のポインタの移動制御等を行うことが可能となる。
【００３９】
なお、ワイヤレス光学式マウス１３は、移動量や移動方向等を無線送信する際には、その移動量や移動方向等のデータに対して登録ＩＤ及び識別コードを付加する。第１及び第２のコンピュータ１２−１，１２−２は、送信されてくる移動量及び移動方向等に付加されている登録ＩＤ及び識別コードを判断し、登録ＩＤが自分のＩＤと一致し、且つ、識別コードがマウントしているマウスの識別コードと一致している場合には、その移動量及び移動方向等に基づき情報処理及び制御を行う。反対に、登録ＩＤが自分のＩＤと一致しなかったり、又は、識別コードがマウントしているマウスの識別コードと一致しなかったりする場合には、移動量及び移動方向等の情報を受け付けない。この結果、第１及び第２のコンピュータ１２−１，１２−２は、識別コードが異なるワイヤレス光学式マウス等が通信範囲に存在したとしても、識別コードが一致しているワイヤレス光学式マウス１３から送信された移動量及び移動方向等に応じてのみ動作を行うことができる。また、ワイヤレス光学式マウス１３は、通信範囲に複数のコンピュータが存在したとしても、ＩＤを登録しているコンピュータ１２に対してのみ移動量及び移動方向等を送信することが可能となる。
【００４０】
続いて、ワイヤレス光学式マウス１３を用いて第１のコンピュータ１２−１に情報を入力している状態から、第２のコンピュータ１２−２に情報が入力できるように切り換える場合には、以下のように手続きを行う。
【００４１】
ユーザは、図８に示すように、ワイヤレス光学式マウス１３の裏面部分の光センサ２１を、第２のコンピュータ１２−２のＬＥＤ発光部１５−２に近づける。光センサ２１にＬＥＤ発光部１５−２が近づけられると、ワイヤレス光学式マウス１３は、ＬＥＤ発光部１５−２の点滅パターンを検出し、その点滅パターンが‘００２’であることを判断し、そのＩＤ（＝‘００２’）を内部に登録する。
【００４２】
ＩＤの登録を終えると、ワイヤレス光学式マウス１３は、登録完了通知を発信する。すると、第１のコンピュータ１２−１は、ワイヤレス光学式マウス１３から発信された登録完了通知に、自分のＩＤが記述されていないので、そのワイヤレス光学式マウス１３のデマウント処理を行う。第２のコンピュータ１２−２は、ワイヤレス光学式マウス１３から発信された登録完了通知に、自分のＩＤが記述されているので、そのワイヤレス光学式マウス１３のマウント処理を行う。
【００４３】
第２のコンピュータ１２−２がワイヤレス光学式マウス１３のマウント処理を行うと、図９に示すように、以後、ワイヤレス光学式マウス１３を用いて第２のコンピュータ１２−２の操作することが可能となる。つまり、第２のコンピュータ１２−２に対するポインタの上下左右の移動制御等をワイヤレス光学式マウス１３を用いて行うことが可能となる。
【００４４】
つぎに、第１のコンピュータ１２−１から第２のコンピュータ１２−２へコピーアンドペーストを行う場合の処理について説明を行う。
【００４５】
まず、ワイヤレス光学式マウス１３が第１のコンピュータ１２−１にマウントされている状態にあるものとする。このとき、図１０に示すように、ユーザは、ワイヤレス光学式マウス１３を用いて、第１のコンピュータ１２−１のポインタを移動して任意のアイコン４１を選択する。続いて、ユーザは、ワイヤレス光学式マウス１３の右ボタン２２をクリックして操作メニュー４２を表示し、その操作メニュー４２内から“Ｃｏｐｙ”という文字を選択する。以上の操作により、第１のコンピュータ１２−１に対して、アイコン４１が指し示す実体データ４３のコピー命令が与えられる。
【００４６】
第１のコンピュータ１２−１は、図１１に示すように、コピー命令が与えられると、ネットワーク１１上の共有の記憶領域１４に、アイコン４１が指し示している実体データ４３を転送する。
【００４７】
以上のコピー操作を終了すると、ワイヤレス光学式マウス１３の裏面部分に設けられている光センサ２１を、第２のコンピュータ１２−２のＬＥＤ発光部１５−２に近づけ、ワイヤレス光学式マウス１３を第２のコンピュータ１２−２にマウントする。
【００４８】
マウントした後、図１２に示すように、ユーザは、ワイヤレス光学式マウス１３を用いてポインタを移動することにより任意の記憶領域を指定する。例えば、いわゆるデスクトップ等にポインタを移動することにより、デスクトップフォルダを指定する。続いて、ユーザは、ワイヤレス光学式マウス１３の右ボタン２２をクリックして操作メニュー４４を表示し、その操作メニュー４４内から“Ｐａｓｔｅ”という文字を選択する。以上の操作により、第２のコンピュータ１２−２に対して、指定した記憶領域に対するペースト命令が与えられる。
【００４９】
第２のコンピュータ１２−２は、図１３に示すように、ペースト命令が与えられると、ネットワーク１１上の共有の記憶領域１４に格納されている実体データ４３を、指定した任意の記憶領域（例えばデスクトップ）に転送し、アイコン４５をモニタ上に表示する。
【００５０】
以上のように、情報処理システム１０では、第１のコンピュータ１２−１から第２のコンピュータ１２−２へコピーアンドペーストを行うことができる。
【００５１】
なお、コピーアンドペーストではなくカットアンドペースを行う場合には、移動元のデータを残存させておくのではなく、移動元のコンピュータ上のデータを削除すれば、他の処理はコピーアンドペースト操作と同一の操作で行うことが可能となる。
【００５２】
また、コピー元の実体データがコピー先のコンピュータにより参照が可能であれば、共用の記憶領域１４にはコピー元の実体のデータの格納先を示すリンク情報をコピー操作時に格納しておき、ペースト操作時にそのリンク情報に示されている格納先から実体データを読み出すようにすることも可能である。
【００５３】
また、本例では、転送する実体データをネットワーク上の共用の記憶領域１４に格納する例を示したが、コンピュータ１２とワイヤレス光学式マウス１３との間を無線通信によって実体データを送受信する機能を設けて、ワイヤレス光学式マウス１３内のメモリに実体データを格納するようにしてもよい。
【００５４】
この場合、コピー操作時にコピー元のコンピュータ１２からワイヤレス光学式マウス１３内のメモリにコピー元の実体データを格納し、ペースト操作時にワイヤレス光学式マウス１３内のメモリ２６からペースト先のコンピュータ１２へ実体データを送出すればよい。このようにワイヤレス光学式マウス１３内のメモリに実体データを記憶させることにより、コピーアンドペーストを行うと、ネットワーク１１がオフラインであっても、データの転送をすることができる。また、マウス自体を携帯型の記憶媒体として利用することができる。
【００５５】
以上のように、本発明の実施の形態の情報処理システム１０では、ワイヤレス光学式マウス１３に対してコンピュータ１２のＩＤを入力して、そのＩＤを登録する。ワイヤレス光学式マウス１３にＩＤが登録されると、ワイヤレス光学式マウス１３は登録したＩＤに対応した１つのコンピュータ２１に移動量及び移動方向等を送信する。コンピュータ１２は自己のＩＤが登録されているワイヤレス光学式マウス１３から送信された移動量及び移動方向等に応じて、情報処理及び制御を行う。このことにより、本発明の実施の形態の情報処理システム１０では、１つのワイヤレス光学式マウス１３によって、簡単に複数のコンピュータ１２を操作することが可能となる。
【００５６】
また、ＩＤの登録作業は、光の点滅パターンでＩＤを表現し、ワイヤレス光学式マウス１３の光センサに入力することにより行う。このことにより、ワイヤレス光学式マウス１３に対して非常に簡単にＩＤの登録を行うことができる。
【００５７】
また、本発明の実施の形態の情報処理システム１０では、ワイヤレス光学式マウス１３を用いて任意のデータのコピー操作を行うとネットワーク１１上の共用の記憶領域１４にその任意のデータを格納し、所定の記憶領域へのペースト操作を行うと共用の記憶領域１４に格納されている所定データをその記憶領域に複写する。このことにより、複数のコンピュータ１２間に亘ったコピーアンドペースト作業やカットアンドペースト作業を直感的であり自然な操作で行うことができる。
【００５８】
なお、本発明の実施の形態では、ワイヤレス光学式マウス１３がＩＤを検出する方法として、ＬＥＤによる所定のパターンの点滅を検出する方法を示した。しかしながら、ワイヤレス光学式マウス１３がＩＤを検出する方法はこのような方法に限らず、光センサが識別可能な検出方法であれば、どのような方法を採用してもよい。例えば、コンピュータのモニタ上に所定の発光パターンを表示して、ワイヤレス光学式マウス１３をモニタにかざして検出してもよいし、バーコードやサイバーコードのような記号やマークを例えばコンピュータ本体やテーブル等に貼り付けて、その記号やマークを光センサで識別してもよい。
【００５９】
また、本発明の実施の形態では、入力デバイスとしてワイヤレス光学式マウス１３を用いた例を示したが、本発明はワイヤレスな入力デバイスであれば、マウスに限らずどのようなものに適用してもよい。また、その場合、コンピュータ１２のＩＤが入力可能である必要があるが、その入力方法は、どのような方法であってもよい。例えば、ワイヤレスのキーボード等に本発明を適用してもよく、その場合には例えばキー入力によりＩＤを入力してもよい。
【００６０】
【発明の効果】
本発明では、ワイヤレス入力装置に対して情報処理装置のＩＤを入力して、ワイヤレス入力装置内にＩＤを登録する。ワイヤレス入力装置にＩＤが登録されると、ワイヤレス入力装置は登録したＩＤに対応した１つの情報処理装置にユーザからの入力情報を送信し、各情報処理装置は自己のＩＤが登録されているワイヤレス入力装置から送信された入力情報に応じて情報処理及び制御を行う。このことにより、本発明では、１つのワイヤレス入力装置によって、簡単に複数の情報処理装置を操作することが可能となる。
【００６１】
また、本発明でのＩＤの登録作業は、例えばワイヤレス入力装置に対して情報を入力するためのセンサが検出可能なＩＤを、当該ワイヤレス入力装置のセンサに入力することにより行う。このことにより、非常に簡単にＩＤの登録を行うことができる。
【００６２】
また、本発明では、ワイヤレス入力装置を用いて任意のデータの移動操作又は複写操作を行うと当該任意のデータの本体又はリンク情報を上記ネットワーク上の共用の記憶領域又はワイヤレス入力装置内のメモリに格納し、所定の記憶領域への貼付操作を行うと上記共用の記憶領域又はワイヤレス入力装置内のメモリに格納されている所定データ又はリンク情報が指し示している所定のデータを所定の記憶領域に複写する。このことにより、本発明では、１つのワイヤレス入力装置によって簡単に複数の情報処理装置を操作するとともに、複数の情報処理装置間に亘ったコピーアンドペースト又はカットアンドペースト作業を直感的であり自然な操作で行うことができる。
【図面の簡単な説明】
【図１】本発明の実施の形態の情報処理システムの構成図である。
【図２】ＬＥＤ発光部を設けた外部機器接続用のインタフェースを示す図である。
【図３】ワイヤレス光学式マウスの内部構成図である。
【図４】各コンピュータが互いに異なる固有の発光パターンでＬＥＤを発光させている状態を示す図である。
【図５】第１のコンピュータの入力デバイスとしてワイヤレス光学式マウスを登録する際の状態を示す図である。
【図６】第１のコンピュータがワイヤレス光学式マウスのマウント処理をしたときの状態を示す図である。
【図７】ワイヤレス光学式マウスが第１のコンピュータに入力情報を送信している状態を示す図である。
【図８】第２のコンピュータの入力デバイスとしてワイヤレス光学式マウスを登録する際の状態を示す図である。
【図９】ワイヤレス光学式マウスが第２のコンピュータに入力情報を送信している状態を示す図である。
【図１０】ワイヤレス光学式マウスを用いてコピー操作をしている状態を示す図である。
【図１１】コピー元の実体データをネットワーク上の共用の記憶領域に転送している状態を示す図である。
【図１２】ワイヤレス光学式マウスを用いてペースト操作をしている状態を示す図である。
【図１３】共用の記憶領域に格納されている実体データをネットワークを介して転送している状態を示す図である。
【符号の説明】
１０  情報処理システム、１１  ネットワーク、１２  コンピュータ、１３  ワイヤレス光学式マウス
【図１】
2005004659.tif 000003
【図２】
2005004659.tif 000004
【図３】
2005004659.tif 000005
【図４】
2005004659.tif 000006
【図５】
2005004659.tif 000007
【図６】
2005004659.tif 000008
【図７】
2005004659.tif 000009
【図８】
2005004659.tif 000010
【図９】
2005004659.tif 000011
【図１０】
2005004659.tif 000012
【図１１】
2005004659.tif 000013
【図１２】
2005004659.tif 000014
【図１３】
2005004659.tif 000015